(57)【特許請求の範囲】
【請求項１】
カミソリヘッドの刃先縁を覆って保護する保護キャップであって、カミソリヘッドを挿入するためのほぼ矩形の開放口を有し、該開放口を形成している４つの周面部の上下に対向する一対の周面部の少なくとも一方の変位によって開放口の少なくとも一部の幅を拡げる手段を有し、該手段は保護キャップの上面部及び下面部の延長上に保護キャップの底面部を超えて突出する上突片と下突片であり、保護キャップをカミソリヘッドに係止するための係止手段が前記一対の周面部の少なくとも一方の周面部に設けられ、開放口の幅を拡げることにより保護キャップをカミソリヘッドから外すことが可能であり、保護キャップの下面部は保護キャップの下面を全面的に覆っておらず、下面部は底面部から延びる細長片を含んで構成されていることにより変位が容易であり、底面部には、横方向の長さが、細長片全部の端から端までの距離とほぼ同じ長さの又はそれよりも長い孔が設けられ、該孔を介して下面部の上面と下突片の上面とが同一平面をなしてつながっていることを特徴とするカミソリヘッドの保護キャップ
【請求項２】
保護キャップの下面部は、底面部から延びる細長片と底面部の下端に延在する内向きのフランジとから成り、前記底面部に延在するフランジは、一対の細長片の間には存在しない請求項１記載の保護キャップ
【発明の詳細な説明】
【０００１】
【発明の属する技術分野】
本発明は安全カミソリのカミソリヘッドの保護キャップに関する。
【０００２】
【従来の技術】
カミソリヘッドをその前端縁から差し込んで刃先縁を保護する保護キャップとしては特開平１０−３１４４６６公報に示されたものが存在している。ここに開示された保護キャップは、カミソリカ−トリッジと係合するフックとボタンを備えた側方タブが、ヒンジを介してキャップの両端に固定されたものである。すなわち、キャップの両側に張り出した両側の側方タブを押すことによってキャップを外す構成である。
【０００３】
【発明が解決しようとする課題】
従来の保護キャップは上述のような構成であって、側方タブがキャップの両側に張り出しているのでキャップの横方向の長さがかなり長くなって、包装の際に嵩張るという欠点がある。また、安全カミソリに装着したときに側方タブのみが安全カミソリ全体から側方に突き出ていて、見た目に体裁が悪いという欠点がある。さらには、側方タブは両側から張り出しているので外力を受けやすい構成であり、何かの要因で安全カミソリが押されたときにキャップとカミソリカ−トリッジの係合が外れる虞は強いと言わざるを得ない。
【０００４】
本発明は、このような従来品の欠点を除去して、取外し易く且つ外れにくい保護キャップを提供することを目的とする。
【０００５】
【課題を解決するための手段】
請求項１は、カミソリヘッドを挿入するためのほぼ矩形の開放口を有し、この開放口を形成している４つの周面部の上下に対向する一対の周面部の少なくとも一方の変位によって開放口の少なくとも一部の幅を拡げる手段を有し、該手段は保護キャップの上面部及び下面部の延長上に保護キャップの底面部を超えて突出する上突片と下突片であり、保護キャップをカミソリヘッドに係止するための係止手段が前記一対の周面部の少なくとも一方の周面部に設けられ、開放口の幅を拡げることにより保護キャップをカミソリヘッドから外すことが可能であり、保護キャップの下面部は保護キャップの下面を全面的に覆っておらず、下面部は底面部から延びる細長片を含んで構成されていることにより変位が容易であり、底面部には、横方向の長さが、細長片全部の端から端までの距離とほぼ同じ長さの又はそれよりも長い孔が設けられ、該孔を介して下面部の上面と下突片の上面とが同一平面をなしてつながっている構成である。
【０００６】
請求項２は、保護キャップの下面部が、底面部から延びる細長片と底面部の下端に延在する内向きのフランジとから成り、底面部に延在するフランジは、一対の細長片の間には存在しない構成である。
【０００７】
【発明の効果】
本発明の構成は以上の通りであって、請求項１は、保護キャップの下面部は保護キャップの下面を全面的に覆っておらず、下面部は底面部から延びる細長片を含んで構成されていることにより変位が容易であり、底面部には、横方向の長さが、細長片全部の端から端までの距離とほぼ同じ長さの又はそれよりも長い孔が設けられ、該孔を介して下面部の上面と下突片の上面とが同一平面をなしてつながっている。したがって、カミソリヘッドに保護キャップを着脱する操作が簡便且つ円滑に行うことができる。また、孔を設けたことにより下面部はその基部において下突片と協働してねじれ易くなるので、小さな力で下面部を変位させて開放口を拡げることができる。
【０００８】
請求項２は、保護キャップの下面部が、底面部から延びる細長片と底面部の下端に延在する内向きのフランジとから成り、底面部に延在するフランジは、一対の細長片の間には存在しない。したがって、フランジが存在しないために細長片はさらに容易に変位するから、より小さな力で下面部を変位させて開放口を拡げることができる。
【０００９】
【発明の実施の形態】
次に、本発明の実施の形態を図面に従って説明する。保護キャップはプラスチックの一体成型であって、横方向に細長く形成されている。保護キャップの後面は開放されて、カミソリヘッド１をその前端部から差し込むための開放口２となっている。ただし、本発明はこれに限定されるものでなく、保護キャップはカミソリヘッド１をその上面から差し込むものであってもよい。この場合は、開放口１はカミソリヘッドの平面の大きさに合わせて大きなものになる。
【００１０】
保護キャップの両側面部３，３の上縁は後端から前端にかけて前下がりの形状である。これは、カミソリヘッド１の上面が前端に向って前下がりに形成された形状に合致させたためである。また、両側面部３，３の前後の長さはカミソリヘッド１の前後の長さのほぼ７０％である。両側面部３，３の下部には支持凸部１６が前後方向に延在しており、保護キャップの内面に突き出ている。この支持凸部１６は保護キャップの中に差し込んだカミソリヘッド１の底面に当って支持する作用をなす。カミソリヘッド１が支持凸部１６に支持されることにより、保護キャップの前部を押し下げる力が働いたときに、保護キャップはカミソリヘッド１に対して相対的に回動せずに確実に装着することができる。もし、支持凸部１６が存在しないときは、保護キャップはカミソリヘッドに対して相対的に回動して前下がりの状態となり、カミソリキャップから外れる虞があるのである。
【００１１】
保護キャップの下面部は、保護キャップの中央寄りに対称的に設けられた一対の細長片４，４と、底面部５の下端に沿って設けられた内向きのフランジ６とから成る。したがって、下面部は保護キャップの底面を全面的に覆っているものではない。また、フランジ６は横方向の全長に亘って一連につながっておらず、両細長片４，４の間には存在しない。両細長片４，４の内面先端にはカミソリヘッドを係止するための係止突起７が一体に設けられている。さらに、細長片４，４を連結する下突片９が細長片とほぼ同一平面の前方延長上に延在しており、下突片９の表面には指の滑り止めのための条溝１０が設けられている。
【００１２】
上面部８は保護キャップの上面をほぼ全面的に覆っており、後端に長い凹部１１を有している。この凹部１１を設けた理由は、カミソリヘッド１の上面の横方向にシェ−ビングエイドを装着したときに、このシェ−ビングエイドを凹部１１から露出させて乾燥を促進するためである。また、上面部８の延長上に上突片１２が延在しており、上突片１２の表面には指の滑り止めのための条溝１３が設けられている。上突片１２は上面部８と同一平面でなくやや上向きに傾斜しているが、上面部８と同一平面であってもよいことは勿論である。上突片１２の横方向の長さは保護キャップの長さの３分の１程度であって、保護キャップの中央に設けられている。上突片１２の両側には三角形フランジ１４，１４が設けられている。これは、上下突片９，１２のみが保護キャップの前面に突出すると、この上下突片９，１２が物にひっかかることによって保護キャップがカミソリヘッドから外れる虞があるので、三角形フランジ１４，１４によってひっかかりを防止するためである。
【００１３】
底面部５の中央に孔１５が設けられており、この孔１５の横方向の長さは一対の細長片４，４の横方向の長さとほぼ同じである。孔１５を設けたことにより、細長片４，４の上面と下突片９の上面とが同一平面でつながるのである。仮に、孔１５が存在しないときは、上下突片９，１２を相接近するように押して開放口２を拡げようとしても、底面部５の強度が作用して十分に拡げることができず、十分に拡げるためには大きな力を必要とする。孔１５を設けることによって、その部分に底面部５の強度が作用せず、細長片４，４の揺動を規制するのは側方に一体に連結しているフランジ６のみである。フランジ６は前後の幅が狭いのでたわみ易く、上下突片９，１２を相接近するように押すことによって細長片４，４が下方向に揺動し、細長片の先端の係止突起７を変位させることができる。
【００１４】
本発明の保護キャップをカミソリヘッド１に装着するときは、開放口２にカミソリヘッド１を先端から差し込むと、係止突起７，７がカミソリヘッド１の底面に当たって細長片４，４がたわんで開放口２の幅が拡がるから、そのまま一杯に押し込むことによって係止突起７，７がカミソリヘッド１の底面の凹部に到達し、係止突起７，７は元に復帰して係止状態となる。あるいは、上下突片９，１２を相接近するように押すことによって拡がった開放口２にカミソリヘッド１を先端から一杯に差し込む。そうしてから上下突片９，１２の押圧を解除すれば、拡がっていた開放口２は元の大きさに復帰して、変位していた係止突起７も上方に戻ってカミソリヘッド１の底面の凹部に係止する。保護キャップを外すときは反対の動作をすればよい。
【図面の簡単な説明】
【図１】  本発明の使用状態を示す側面図
【図２】  本発明の後面図
【図３】  本発明の前面図
【図４】  本発明の側面図
【図５】  本発明の上面図
【図６】  本発明の底面図
【図７】  図３のＡ−Ａ断面図
【図８】  図３のＢ−Ｂ断面図
【符号の説明】
１  カミソリヘッド、    ２  開放口、    ３  側面部、    ４  細長片、    ５  底面部、    ６  フランジ、    ７  係止突起、    ８  上面部、    ９  下突片、    １０  条溝、    １１  凹部、    １２  上突片、    １３  条溝、    １４  三角形フランジ、    １５  孔、    １６  支持凸部
【図１】
0004860827.tif 000002
【図２】
0004860827.tif 000003
【図３】
0004860827.tif 000004
【図４】
0004860827.tif 000005
【図５】
0004860827.tif 000006
【図６】
0004860827.tif 000007
【図７】
0004860827.tif 000008
【図８】
0004860827.tif 000009